(57)【要約】【課題】ユーザの端末使用状況に応じてニーズに合った放送番組を効率的に記録すること。【解決手段】この番組記録制御システム１は、視聴対象番組を判定するための番組判定情報と、携帯電話端末２のユーザに関する視聴可能時間帯情報と、携帯電話端末２の位置情報とを受信する情報受信部３０１と、放送番組の放送時間帯を格納する番組表格納部３０５と、視聴対象番組を判定する番組判定部３０２と、視聴対象番組の放送時間帯及び視聴可能時間帯情報に基づいてユーザの視聴可否を判定する時間判定部３０７と、位置情報に基づいてユーザの視聴可否を判定する位置判定部３０８と、これらの判定結果に応じて視聴対象番組の記録を要求する録画要求部３０９と、を備える。【選択図】図１
2010171539.tif 000002
【特許請求の範囲】
【請求項１】
放送受信端末のユーザが視聴する放送番組を判定するための番組判定情報と、前記ユーザが放送番組を視聴可能な時間帯を示す視聴可能時間帯情報と、前記放送受信端末の位置情報とを、前記放送受信端末から通信ネットワークを介して受信する情報受信手段と、
放送番組の放送時間帯を前記放送番組毎に関連づけて格納する番組表格納手段と、
前記番組判定情報に基づいて前記ユーザの視聴対象番組を判定する番組判定手段と、
前記番組判定手段によって判定された視聴対象番組の放送時間帯を、前記番組表格納手段を参照することにより特定し、前記視聴可能時間帯情報に基づいて、該放送時間帯が前記ユーザの視聴可能な時間帯に重複するか否かを判定する時間判定手段と、
前記位置情報に基づいて前記視聴対象番組の放送エリア内に前記放送受信端末が位置しているか否かを判定する位置判定手段と、
前記時間判定手段及び前記位置判定手段による判定結果に基づいて前記ユーザの前記視聴対象番組の視聴可否を判定し、当該判定結果に応じて前記視聴対象番組の記録を要求する記録要求手段と、
を備えることを特徴とする番組記録制御システム。
【請求項２】
前記情報受信手段は、前記視聴対象番組の放送時間帯に含まれるタイミングで前記位置情報を受信し、
前記位置判定手段は、該位置情報に基づいて前記視聴対象番組の放送エリア内に前記放送受信端末が位置しているか否かを判定する、
ことを特徴とする請求項１記載の番組記録制御システム。
【請求項３】
前記情報受信手段は、前記番組判定情報として前記ユーザが視聴を希望する放送番組の識別情報を受信し、
前記番組判定手段は、前記識別情報に基づいて前記視聴対象番組を判定する、
ことを特徴とする請求項１又は２記載の番組記録制御システム。
【請求項４】
前記情報受信手段は、前記番組判定情報として前記ユーザの嗜好情報をさらに受信し、
前記番組表格納手段は、前記放送番組の種別情報を前記放送番組毎に関連づけてさらに格納し、
前記番組判定手段は、前記嗜好情報に類似する前記種別情報を抽出することによって前記視聴対象番組をさらに判定する、
ことを特徴とする請求項１〜３のいずれか１項に記載の番組記録制御システム。
【請求項５】
前記情報受信手段は、前記番組判定情報として前記放送受信端末における放送番組の視聴履歴情報をさらに受信し、
前記番組判定手段は、前記視聴履歴情報及び番組表格納手段に格納された番組表に基づいて前記視聴対象番組をさらに判定する、
ことを特徴とする請求項１〜３のいずれか１項に記載の番組記録制御システム。
【請求項６】
前記番組表格納手段は、前記放送番組が連続して放送される連続番組であるか否かを示す放送種別情報を、前記放送番組毎に関連づけてさらに格納し、
前記番組判定手段は、前記視聴履歴情報に含まれる放送番組であって、前記番組表に含まれる放送種別が連続番組を示す放送番組を、前記視聴対象番組として判定する、
ことを特徴とする請求項５に記載の番組記録制御システム。
【請求項７】
ユーザが視聴する放送番組を判定するための番組判定情報と、前記ユーザが放送番組を視聴可能な時間帯を示す視聴可能時間帯情報と、前記ユーザの位置情報とを、通信ネットワークを介して送信する情報送信手段を備える、
ことを特徴とする放送受信端末。
【請求項８】
情報受信手段が、放送受信端末のユーザが視聴する放送番組を判定するための番組判定情報と、前記ユーザが放送番組を視聴可能な時間帯を示す視聴可能時間帯情報と、前記放送受信端末の位置情報とを、前記放送受信端末から通信ネットワークを介して受信する情報受信ステップと、
番組表格納手段が、放送番組の放送時間帯を前記放送番組毎に関連づけて格納する番組表格納ステップと、
番組判定手段が、前記番組判定情報に基づいて前記ユーザの視聴対象番組を判定する番組判定ステップと、
時間判定手段が、前記番組判定ステップによって判定された視聴対象番組の放送時間帯を、前記番組表格納手段を参照することにより特定し、前記視聴可能時間帯情報に基づいて、該放送時間帯が前記ユーザの視聴可能な時間帯に重複するか否かを判定する時間判定ステップと、
位置判定手段が、前記位置情報に基づいて前記視聴対象番組の放送エリア内に前記放送受信端末が位置しているか否かを判定する位置判定ステップと、
記録要求手段が、前記時間判定ステップ及び前記位置判定ステップによる判定結果に基づいて前記ユーザの前記視聴対象番組の視聴可否を判定し、当該判定結果に応じて前記視聴対象番組の記録を要求する記録要求手段と、
を備えることを特徴とする番組記録制御方法。
【発明の詳細な説明】
【技術分野】
【０００１】
本発明は、番組記録制御システム、放送受信端末、及び番組記録制御方法に関するものである。
【背景技術】
【０００２】
従来から、携帯電話機等の放送受信端末とサーバとの連携によって放送番組の録画の制御を行う様々な技術が知られている。例えば、視聴者の外出時に携帯電話端末で視聴又は録画した番組を録画サーバにて保存させる技術や（下記特許文献１参照）、ユーザの視聴履歴によって録画対象の番組を特定し、その番組を実際にユーザが視聴していない場合にのみ録画を実行させる技術（下記特許文献２参照）がある。
【０００３】
一方で、移動端末を放送受信端末として用いることを考慮して、端末が放送局エリアを外れて視聴不可となるか否かを検出して、視聴不可放送局を検出した時に録画再生装置に録画要求する技術（下記特許文献３参照）も知られている。このような技術によれば、放送受信端末の位置に応じて視聴不可の場合に録画を実行するので効率的な録画が可能になる。
【先行技術文献】
【特許文献】
【０００４】
【特許文献１】特開２００７−２５１２８０号公報
【特許文献２】特開２００７−６７６１８号公報
【特許文献３】特開２００８−１６０２５９号公報
【発明の概要】
【発明が解決しようとする課題】
【０００５】
しかしながら、上述した特許文献３に記載の録画技術においては、放送受信端末の位置に応じて視聴可否を判定しているので、ユーザの実際の端末使用状況に応じて視聴可否を判定することは困難である。その結果、実施にはユーザが放送番組を視聴できないのに当該放送番組の録画が実行されないといった場合が生じていた。
【０００６】
そこで、本発明は、かかる課題に鑑みて為されたものであり、ユーザの端末使用状況に応じてニーズに合った放送番組を効率的に記録することが可能な番組記録制御システム、放送受信端末、及び番組記録制御方法を提供することを目的とする。
【課題を解決するための手段】
【０００７】
上記課題を解決するため、本発明の番組記録制御システムは、放送受信端末のユーザが視聴する放送番組を判定するための番組判定情報と、ユーザが放送番組を視聴可能な時間帯を示す視聴可能時間帯情報と、放送受信端末の位置情報とを、放送受信端末から通信ネットワークを介して受信する情報受信手段と、放送番組の放送時間帯を放送番組毎に関連づけて格納する番組表格納手段と、番組判定情報に基づいてユーザの視聴対象番組を判定する番組判定手段と、番組判定手段によって判定された視聴対象番組の放送時間帯を、番組表格納手段を参照することにより特定し、視聴可能時間帯情報に基づいて、該放送時間帯がユーザの視聴可能な時間帯に重複するか否かを判定する時間判定手段と、位置情報に基づいて視聴対象番組の放送エリア内に放送受信端末が位置しているか否かを判定する位置判定手段と、時間判定手段及び位置判定手段による判定結果に基づいてユーザの視聴対象番組の視聴可否を判定し、当該判定結果に応じて視聴対象番組の記録を要求する記録要求手段と、を備える。
【０００８】
或いは、本発明の番組記録制御方法は、情報受信手段が、放送受信端末のユーザが視聴する放送番組を判定するための番組判定情報と、ユーザが放送番組を視聴可能な時間帯を示す視聴可能時間帯情報と、放送受信端末の位置情報とを、放送受信端末から通信ネットワークを介して受信する情報受信ステップと、番組表格納手段が、放送番組の放送時間帯を放送番組毎に関連づけて格納する番組表格納ステップと、番組判定手段が、番組判定情報に基づいてユーザの視聴対象番組を判定する番組判定ステップと、時間判定手段が、番組判定ステップによって判定された視聴対象番組の放送時間帯を、番組表格納手段を参照することにより特定し、視聴可能時間帯情報に基づいて、該放送時間帯がユーザの視聴可能な時間帯に重複するか否かを判定する時間判定ステップと、位置判定手段が、位置情報に基づいて視聴対象番組の放送エリア内に放送受信端末が位置しているか否かを判定する位置判定ステップと、記録要求手段が、時間判定ステップ及び位置判定ステップによる判定結果に基づいてユーザの視聴対象番組の視聴可否を判定し、当該判定結果に応じて視聴対象番組の記録を要求する記録要求手段と、を備える。
【０００９】
或いは、本発明の放送受信端末は、ユーザが視聴する放送番組を判定するための番組判定情報と、ユーザが放送番組を視聴可能な時間帯を示す視聴可能時間帯情報と、ユーザの位置情報とを、通信ネットワークを介して送信する情報送信手段を備える。
【００１０】
このような番組記録制御システム、放送受信端末、及び番組記録制御方法によれば、放送受信端末から受信された番組判定情報に基づいてユーザの視聴対象番組が判定され、その視聴対象番組の放送時間帯が番組表格納手段を参照することにより特定される。そして、放送受信端末から受信された視聴可能時間帯情報をもとに、その放送時間帯がユーザの視聴可能な時間帯に重複するか判定されるとともに、放送受信端末から受信された位置情報をもとに、放送受信端末が放送エリア内に位置しているかが判定されることによって、ユーザの視聴可否が判定される。その後、その判定結果に応じて視聴対象番組の記録が要求されるので、ユーザの視聴可能時間帯情報によって示される端末使用可能状況に応じて、ユーザが視聴することができない放送番組を適切に抽出して、より効率的な放送番組の記録を実現することができる。
【００１１】
情報受信手段は、視聴対象番組の放送時間帯に含まれるタイミングで位置情報を受信し、位置判定手段は、該位置情報に基づいて視聴対象番組の放送エリア内に放送受信端末が位置しているか否かを判定する、ことが好ましい。こうすれば、視聴対象番組の放送時間帯における端末の位置に基づいてユーザの視聴可否をより適切に判定することができる。
【００１２】
また、情報受信手段は、番組判定情報としてユーザが視聴を希望する放送番組の識別情報を受信し、番組判定手段は、識別情報に基づいて視聴対象番組を判定する、ことも好ましい。かかる構成を採れば、ユーザが視聴を希望する番組を効率的に記録することができる。
【００１３】
さらに、情報受信手段は、番組判定情報としてユーザの嗜好情報をさらに受信し、番組表格納手段は、放送番組の種別情報を放送番組毎に関連づけてさらに格納し、番組判定手段は、嗜好情報に類似する種別情報を抽出することによって視聴対象番組をさらに判定する、ことも好ましい。この場合、ユーザの嗜好に合った番組を効率的に記録することができる。
【００１４】
またさらに、情報受信手段は、番組判定情報として放送受信端末における放送番組の視聴履歴情報をさらに受信し、番組判定手段は、視聴履歴情報及び番組表格納手段に格納された番組表に基づいて視聴対象番組をさらに判定する、ことも好ましい。こうすれば、ユーザの視聴傾向に合った番組を効率的に記録することができる。
【００１５】
さらにまた、番組表格納手段は、放送番組が連続して放送される連続番組であるか否かを示す放送種別情報を、放送番組毎に関連づけてさらに格納し、番組判定手段は、視聴履歴情報に含まれる放送番組であって、番組表に含まれる放送種別が連続番組を示す放送番組を、視聴対象番組として判定する、ことも好ましい。かかる構成を採れば、ユーザが好む連続番組を漏れなく記録することができる。
【発明の効果】
【００１６】
本発明によれば、ユーザの端末使用状況に応じてニーズに合った放送番組を効率的に記録することができる。
【図面の簡単な説明】
【００１７】
【図１】本発明の好適な一実施形態にかかる番組記録制御システムの概略構成図である。
【図２】図１の番組記録制御用サーバのハードウェア構成を示す図である。
【図３】図１の携帯電話端末のハードウェア構成を示す図である。
【図４】図１の視聴履歴情報格納部に格納された視聴履歴情報のデータ構成を示す図である。
【図５】図１の時間帯情報格納部に格納された視聴可能時間帯情報のデータ構成を示す図である。
【図６】図１の番組表格納部に格納された番組表データのデータ構成を示す図である。
【図７】図１の番組記録制御システムにおける番組記録制御時の動作を示すシーケンス図である。
【図８】図７における視聴可否判定処理の詳細手順を示すフローチャートである。
【図９】図１の番組記録制御システムにおける番組記録制御時の動作を示すシーケンス図である。
【発明を実施するための形態】
【００１８】
以下、図面とともに本発明による番組記録制御システム及び番組記録制御方法の好適な実施形態について詳細に説明する。なお、図面の説明においては同一要素には同一符号を付し、重複する説明を省略する。
【００１９】
図１は、本発明の好適な一実施形態にかかる番組記録制御システム１の概略構成図である。図１に示すように、本実施形態にかかる番組記録制御システム１は、放送受信端末としての携帯電話端末２及び固定放送受信装置４と、携帯電話端末２及び固定放送受信装置４とそれぞれ通信ネットワークＮＷ１，ＮＷ２を介して相互にデータ送信可能に構成された番組記録制御用サーバ３とを備えている。なお、通信ネットワークＮＷ１は、移動体通信網を含むデータ通信網によって構成され、通信ネットワークＮＷ２は、インターネット及びイントラネット等を含むデータ通信網によって構成されている。ここで、番組記録制御用サーバ３は、１つのサーバ装置から構成されているが、複数のサーバ装置で機能を分担するようにしてもよいし、携帯電話端末２及び固定放送受信装置４も複数台存在していてもよい。
【００２０】
この携帯電話端末２は、音声通信やデータ通信等の通信機能の他、デジタル放送等の放送番組を視聴可能な機能を有し、固定放送受信装置４は、放送番組を受信及び録画するためのセットトップボックス、ハードディスクレコーダー等の家庭等に固定的に設置される放送受信装置である。また、番組記録制御用サーバ３は、携帯電話端末２及び固定放送受信装置４のユーザの放送番組の視聴可否状況に応じてその放送番組の録画制御を実行するサーバ装置である。
【００２１】
次に、図２及び図３を参照して、番組記録制御用サーバ３および携帯電話端末２のハードウェア構成について説明する。
【００２２】
図２に示すように、番組記録制御用サーバ３は、物理的には、ＣＰＵ３２、主記憶装置であるＲＡＭ３３及びＲＯＭ３４、ハードディスク装置等の補助記憶装置３６、入力デバイスである入力キー、マウス等の入力装置３７、ディスプレイ等の出力装置３８、通信ネットワークＮＷ１，ＮＷ２との間でのデータの送受信を司る通信モジュール３５などを含む情報処理装置として構成されている。番組記録制御用サーバ３によって実現される機能は、図２に示すＣＰＵ３２、ＲＡＭ３３等のハードウェア上に所定のプログラムを読み込ませることにより、ＣＰＵ３２の制御のもとで通信モジュール３５、入力装置３７、出力装置３８を動作させるとともに、ＲＡＭ３３や補助記憶装置３６におけるデータの読み出し及び書き込みを行うことで実現される。
【００２３】
図３に示すように、携帯電話端末２は、物理的には、ＣＰＵ２２、主記憶装置であるＲＡＭ２３及びＲＯＭ２４、ハードディスク装置、メモリカード等の補助記憶装置２６、入力デバイスである入力キー、マイク等の入力装置２７、スピーカ、ディスプレイ等の出力装置２８、通信ネットワークＮＷ１との間でのデータの送受信を司る通信モジュール２５、放送番組の受信を司る放送受信モジュール２９などを含む情報処理装置として構成されている。携帯電話端末２によって実現される機能は、図３に示すＣＰＵ２２、ＲＡＭ２３等のハードウェア上に所定のプログラムを読み込ませることにより、ＣＰＵ２２の制御のもとで通信モジュール２５、放送受信モジュール２９、入力装置２７、出力装置２８を動作させるとともに、ＲＡＭ２３や補助記憶装置２６におけるデータの読み出し及び書き込みを行うことで実現される。
【００２４】
以下、図１に戻って、番組記録制御システム１を構成する携帯電話端末２及び番組記録制御用サーバ３の機能について詳細に説明する。
【００２５】
まず、携帯電話端末２は、機能的には情報送信部（情報送信手段）２０１として動作する。この情報送信部２０１は、所定期間における放送番組の放送予定を示す番組表に含まれる放送番組のなかから、ユーザが視聴する可能性の高い放送番組を判定するための番組判定情報を、番組記録制御用サーバ３に送信する。また、情報送信部２０１は、携帯電話端末２のユーザが放送番組を視聴可能な時間帯を示す視聴可能時間帯情報と、携帯電話端末２の位置を示す位置情報とを、番組記録制御用サーバ３に送信する。
【００２６】
詳細には、情報送信部２０１は、予め携帯電話端末２に記憶された番組表からのユーザの選択を受けて、そのユーザが視聴を希望する放送番組を特定し、番組判定情報としてその放送番組の識別情報（希望視聴番組ＩＤ）を送信する。例えば、ユーザによって番組名“ＢＢＢ”及び番組ＩＤ“２１”の放送番組が選択された場合は、希望視聴番組ＩＤ“２１”を送信する。
【００２７】
また、情報送信部２０１は、番組判定情報として、過去に携帯電話端末２において視聴された放送番組を特定する視聴履歴情報を送信する。例えば、携帯電話端末２において番組名“ＡＡＡ#1”及び番組ＩＤ“１１”の放送番組が時刻“2008/09/06 20:10”から時刻“2008/09/06 20:43”までの時間帯に視聴されていた場合には、番組ＩＤ“１１”、視聴開始時刻“2008/09/06 20:10”、及び視聴終了時刻“2008/09/06 20:43”を送信する。
【００２８】
さらに、情報送信部２０１は、過去に携帯電話端末２においてインターネット等の通信ネットワークとの間で送受信されたコンテンツの通信データ履歴に基づいてユーザの嗜好情報を特定し、その嗜好情報を番組判定情報として送信する。例えば、インターネット上の検索エンジンを用いた検索履歴（例えば、“俳優Ａ”）やインターネットを利用した商品の購入履歴（例えば、“ベッド”、“海外輸入品”）等からユーザの嗜好情報（“俳優Ａ”，“海外輸入品”等）を特定して送信することが挙げられる。ここで、情報送信部２０１は、視聴履歴情報または嗜好情報を、いったん補助記憶装置２６（図３）に蓄積しておいてから逐次番組記録制御用サーバ３に送信する。
【００２９】
また、情報送信部２０１は、視聴可能時間帯情報として、例えば、視聴不可である時間帯の開始時刻を示す情報“2008/12/09 08:00”、視聴不可である時間帯の終了時刻を示す情報“2008/12/09 18:00”、及びその時間帯のユーザ活動内容を示す設定内容“仕事”に対して、携帯電話端末２を識別する情報である端末ＩＤ“#2”を付加して送信する。このような視聴可能時間帯情報は、携帯電話端末２のユーザによって予めスケジュール情報として入力されて補助記憶装置２６（図３）に記憶されている情報である。
【００３０】
また、情報送信部２０１は、携帯電話端末２の位置情報を取得する機能も有し、ＧＰＳ（Global Positioning System）測位によって得られた緯度／経度情報や、通信ネットワークＮＷ１からの報知情報を受信することにより検出された携帯電話端末２の通信ネットワークＮＷ１内の在圏エリアを示す情報（Cell ID）等を位置情報として取得して、番組記録制御用サーバ３に送信する。ここで、携帯通信端末２の位置情報としては、パケット交換ネットワークで用いられるＲＡＩ（Routing Area Identity）や回線交換ネットワークで用いられるＬＡＩ（Location Area Identity）等が取得されてもよい。
【００３１】
次に、番組記録制御用サーバ３の機能的な構成要素について説明する。番組記録制御用サーバ３は、情報受信部（情報受信手段）３０１、番組判定部（番組判定手段）３０２、時間帯情報格納部３０３、視聴履歴情報格納部３０４、番組表格納部（番組表格納手段）３０５、時間判定部（時間判定手段）３０７と位置判定部（位置判定手段）３０８とを含む録画制御部３０６、及び録画要求部（記録要求手段）３０７を備えている。
【００３２】
情報受信部３０１は、携帯電話端末２からユーザが視聴を希望する放送番組を特定する識別情報（希望視聴番組ＩＤ）、携帯電話端末２において視聴された放送番組を特定する視聴履歴情報、及び携帯電話端末２のユーザの嗜好情報を、番組判定情報として受信する。情報受信部３０１は、受信した希望視聴番組ＩＤと嗜好情報とを番組判定部３０２に出力するとともに、視聴履歴情報を視聴履歴情報格納部３０４に記憶する。
【００３３】
図４には、視聴履歴情報格納部３０４に格納された視聴履歴情報のデータ構成を示す図である。同図に示すように、視聴履歴情報格納部３０４には、例えば、番組ＩＤ“１１”、視聴開始時刻“2008/09/06 20:10”、及び視聴終了時刻“2008/09/06 20:43”が、端末ＩＤ“#2”に対応付けて格納される。
【００３４】
また、情報受信部３０１は、携帯電話端末２から視聴可能時間帯情報を受信し、その視聴可能時間帯情報を時間帯情報格納部３０３に格納する。図５には、時間帯情報格納部３０３に格納された視聴可能時間帯情報のデータ構成を示す図である。このように、時間帯情報格納部３０３には、例えば、設定内容“仕事”、視聴不可時間帯の開始時刻“2008/12/09 08:00”、及び視聴不可時間帯の終了時刻“2008/12/09 18:00”が、端末ＩＤを含む端末設定種別ＩＤ“#2-1”に関連付けて格納される。
【００３５】
さらに、情報受信部３０１は、携帯電話端末２の位置情報を受信し、その位置情報を録画制御部３０６に出力する。例えば、このような位置情報として、携帯電話端末２の緯度／経度情報や、通信ネットワークＮＷ１内の在圏エリアを示す情報（Cell ID）を受信する。
【００３６】
番組判定部３０２は、携帯電話端末２から受信した番組判定情報及び番組表格納部３０５に格納された放送予定の複数の放送番組に関する番組表データに基づいて、携帯電話端末２のユーザが視聴する可能性の高い放送番組（視聴対象番組）を判定し、その放送番組を特定する番組ＩＤを、録画制御部３０６に出力する。図６には、番組表格納部３０５に格納された番組表データのデータ構成を示す図である。同図に示すように、例えば、番組名“ＡＡＡ#1”、その放送番組を放送する放送局チャネル“A#1”、放送番組の開始時刻“2008/09/06 20:00”、放送番組の終了時刻“2008/09/06 20:45”、その放送番組が連続して放送される放送番組であるかを示す番組種別情報“連続”、及びその放送番組の内容や種別を判別するためのメタデータ（種別情報）“ドラマ、俳優Ａ”が、放送番組に関する番組ＩＤ“１１”に関連づけて格納されている。
【００３７】
具体的には、番組判定部３０２は、携帯電話端末２から受信した希望視聴番組ＩＤを用いることにより、番組表格納部３０５に格納された番組表データに含まれる番組のうちから視聴対象番組を判定する。また、番組判定部３０２は、携帯電話端末２から受信した嗜好情報を基に番組表データを検索して、その嗜好情報に類似するメタデータを含む放送番組を抽出することによって、視聴対象番組を判定する。例えば、番組判定部３０２が嗜好情報“海外輸入品”を受信した場合には、図６に示すような番組表データを参照して、その番組表データのなかから嗜好情報“海外輸入品”に類似するメタデータ“海外報道”を含む番組ＩＤ“５１”を抽出する。
【００３８】
また、番組判定部３０２は、視聴履歴情報格納部３０４に格納された携帯電話端末２に関する視聴履歴情報と、番組表格納部３０５に格納された番組表データとを参照して、携帯電話端末２が過去に視聴した放送番組に関する連続番組を視聴対象番組として判定する。詳細には、視聴履歴情報として携帯電話端末２から番組ＩＤ“１１”の放送番組に関する視聴履歴情報を受信した場合には、図６に示すような番組表データを参照して、その番組ＩＤ“１１”に対応する番組種別情報が“連続”であるか否か、すなわち番組ＩＤ“１１”によって特定される放送番組が連続番組であるか否かを判断する。そして、番組判定部３０２は、連続番組であると判断した場合に、その番組ＩＤ“１１”が示す放送番組と同一の番組名を含む連続番組“ＡＡＡ#2”を視聴対象番組として判定する。
【００３９】
録画制御部３０６は、番組判定部３０２から受け取った視聴対象番組の番組ＩＤに対応して、携帯電話端末２のユーザの状態を判定する。すなわち、録画制御部３０６の時間判定部３０７は、視聴対象番組の放送時間帯を番組表格納部３０５に格納された番組表データを参照することにより特定するとともに、時間帯情報格納部３０３を参照することにより携帯電話端末２のユーザに関する視聴可能時間帯情報を特定する。例えば、視聴対象番組の番組ＩＤが“５１”の場合は、図６に示す番組表データに基づいて、番組開始時刻“2008/09/07 04:00”及び番組終了時刻“2008/09/07 05:00”によって放送時間帯を特定するとともに、図５に示す視聴可能時間帯情報に基づいて、設定内容“睡眠時間”、開始時刻“毎日 0:00”、及び終了時刻“毎日 07:00”を含む視聴可能時間帯情報を特定する。
【００４０】
さらに、時間判定部３０７は、視聴対象番組の放送時間帯の一部又は全部が、携帯電話端末２に関する視聴可能な時間帯に重複するか否かを判定する。例えば、放送時間帯が開始時刻“2008/09/07 04:00”から番組終了時刻“2008/09/07 05:00”までの間であって、視聴不可である時間帯が開始時刻“0:00”から終了時刻“07:00”までの間である場合は、放送時間帯の全部が重複していることからユーザがその視聴対象番組を視聴不可であることを判定して、その判定結果を録画要求部３０９に出力する。
【００４１】
また、録画制御部３０６の位置判定部３０８は、携帯電話端末２から受け取った位置情報に基づいて、視聴対象番組の番組ＩＤに対応する放送エリア内に携帯電話端末２が位置しているか否かを判定する。具体的には、視聴対象番組の番組ＩＤ“１２”に対応する放送局情報“Ａ#1”を番組表データ（図６）から読み出して、携帯電話端末２の緯度／経度情報又は在圏エリアによって特定される位置が、その放送局の放送エリア内にあるか否かを判定することにより、ユーザのその視聴対象番組に関する視聴可否を判定する。そして、位置判定部３０８は、その判定結果を録画要求部３０９に出力する。
【００４２】
録画要求部３０９は、時間判定部３０７及び位置判定部３０８による判定結果に基づいて携帯電話端末２の視聴可否を判定し、その判定結果に応じて視聴対象番組の記録を固定放送受信装置４に要求する。すなわち、録画要求部３０９は、時間判定部３０７又は位置判定部３０８による判定結果が携帯電話端末２が視聴不可であることを示す場合には、該当する視聴対象番組の番組ＩＤを含む録画要求信号を、通信ネットワークＮＷ２を介して固定放送受信装置４に向けて送信する。
【００４３】
以下、図７〜９を参照して、番組記録制御システム１の動作について説明するとともに、併せて番組記録制御システム１における番組記録制御方法について詳述する。図７及び図９は、番組記録制御システム１における番組記録制御時の動作を示すシーケンス図、図８は、図７における視聴可否判定処理の詳細手順を示すフローチャートである。
【００４４】
まず、図７を参照して、携帯電話端末２においてユーザが視聴を希望する放送番組が選択されると、携帯電話端末２から番組記録制御用サーバ３に向けて希望視聴番組ＩＤが送信される（ステップＳ０１）。そうすると、番組記録制御用サーバ３の番組判定部３０２は、希望視聴番組ＩＤを用いて視聴対象番組を判別する（ステップＳ０２）。また、番組記録制御用サーバ３の情報受信部３０１は、これと並行して携帯電話端末２から視聴可能時間帯情報を逐次受信し、時間帯情報格納部３０３に格納する（ステップＳ０３）。
【００４５】
次に、番組記録制御用サーバ３の情報受信部３０１は、番組判定部３０２によって判定された視聴対象番組の放送時間帯を番組表データに基づいて認識し、現在時刻がその放送時間帯の開始時刻を経過したタイミングを検出する（ステップＳ０４）。そして、情報受信部３０１は、その検出タイミングで携帯電話端末２に対して位置情報の検索要求を送信する（ステップＳ０５）。その後、情報受信部３０１は、携帯電話端末２から位置情報を受信する（ステップＳ０６）。
【００４６】
これに対して、番組記録制御用サーバ３の位置判定部３０８は、携帯電話端末２の位置が視聴対象番組の放送エリア内にあるか否かを判定することにより、視聴可否判定処理を実行する（ステップＳ０７）。さらに、番組記録制御用サーバ３の時間判定部３０７が、視聴対象番組の放送時間帯が携帯電話端末２のユーザに関する視聴不可時間帯に重複しているか否かを判定することにより、視聴可否判定処理を実行する（ステップＳ０８）。
【００４７】
図８にはこの視聴可否判定処理の詳細な手順を示している。同図に示すように、視聴可否判定処理が開始されると（ステップＳ１０１）、まず、携帯電話端末２が固定放送受信装置４の設置エリアに存在しているか、あるいは、視聴対象番組の放送エリア内に位置しているか否かが判定される（ステップＳ１０２）。この判定の結果、固定放送受信装置４の設置エリアに存在しておらず、かつ、視聴対象番組の放送エリア内にもない場合には（ステップＳ１０２；ＮＯ）、ユーザが視聴不可状態にあると判定される（ステップＳ１０５）。一方、固定放送受信装置４の設置エリアに存在しているか、あるいは視聴対象番組の放送エリア内にある場合には、処理がステップＳ１０３に移行される。
【００４８】
その後、視聴対象番組の放送時間帯の一部又は全部が携帯電話端末２のユーザの視聴可能な時間帯と重複しているか否かが判定される（ステップＳ１０３）。この判定の結果、２つの時間帯が重複している場合には（ステップＳ１０３；ＹＥＳ）、ユーザが視聴可能状態にあると判定される（ステップＳ１０４）。これに対して、２つの時間帯が重複していない場合には（ステップＳ１０３；ＮＯ）、ユーザが視聴不可状態にあると判定される（ステップＳ１０５）。
【００４９】
図７に戻って、上記のような視聴可否判定処理によってユーザが視聴不可であると判定された場合には、番組記録制御用サーバ３の録画要求部３０９から固定放送受信装置４に対して、視聴対象番組の番組ＩＤを含む録画要求信号を、番組表データとともに送信する（ステップＳ０９）。これに対して、固定放送受信装置４によって、番組表データおよび視聴対象番組の番組ＩＤに基づいて、視聴対象番組の録画が実行される（ステップＳ１０）。
【００５０】
また、図９には、携帯電話端末２から番組記録制御用サーバ３に向けて視聴履歴及び嗜好情報が送信された場合の録画制御処理を示している。まず、携帯電話端末２から番組記録制御用サーバ３に向けて視聴履歴情報及び嗜好情報が逐次送信される（ステップＳ２０１）。そうすると、番組記録制御用サーバ３の番組判定部３０２は、視聴履歴情報と番組表データとを参照して、携帯電話端末２が過去に視聴した放送番組に対応する連続番組を視聴対象番組として判別するとともに、嗜好情報に類似するメタデータを含む放送番組を視聴対象番組として判別する（ステップＳ２０２）。その後のステップＳ２０３〜ステップＳ２１０までの処理は、図７のステップＳ０３〜ステップ１０における処理と同一であるので、説明を省略する。
【００５１】
以上説明した番組記録制御システム１及び番組記録制御方法によれば、携帯電話端末２から受信された番組判定情報に基づいてユーザの視聴対象番組が判定され、その視聴対象番組の放送時間帯が番組表格納部３０５を参照することにより特定される。そして、携帯電話端末２から受信された視聴可能時間帯情報をもとに、その放送時間帯がユーザの視聴可能な時間帯に重複するか判定されるとともに、携帯電話端末２から受信された位置情報をもとに、携帯電話端末２が放送エリア内に位置しているかが判定されることによって、ユーザの視聴可否が判定される。その後、その判定結果に応じて視聴対象番組の録画が固定放送受信装置４に要求されるので、ユーザの視聴可能時間帯情報によって示される端末使用可能状況に応じて、ユーザが視聴することができない放送番組を適切に抽出して、より効率的な放送番組の記録を実現することができる。
【００５２】
また、番組記録制御用サーバ３が、視聴対象番組の放送時間帯に合致したタイミングで携帯電話端末２の位置情報を受信し、該位置情報に基づいて視聴対象番組の放送エリア内に携帯電話端末２が位置しているか否かを判定するので、視聴対象番組の放送時間帯における端末の位置に基づいてユーザの視聴可否をより適切に判定することができる。
【００５３】
また、番組記録制御用サーバ３が、希望視聴番組情報を受信し、それに基づいて視聴対象番組を判定するので、ユーザが視聴を希望する番組を効率的に録画させることができる。
【００５４】
さらに、番組記録制御用サーバ３は、ユーザの嗜好情報に類似する種別情報を抽出することによって視聴対象番組をさらに判定するので、ユーザの嗜好に合った番組を効率的に録画させることができる。
【００５５】
また、番組記録制御用サーバ３は、視聴履歴情報に含まれる放送番組に対応する連続番組を視聴対象番組として判定するので、ユーザの視聴傾向に合った連続番組を漏れなく録画させることができる。
【００５６】
なお、本発明は、前述した実施形態に限定されるものではない。例えば、録画制御部３０６の位置判定部３０８は、携帯電話端末２の位置情報に基づいて放送エリア内に携帯電話端末２が位置しているか否かを判定しているが、携帯電話端末２が電車の線路上等の所定エリアに位置しているか判定することによりユーザの視聴不可状態を判断してもよい。
【００５７】
また、番組記録制御用サーバ３の情報受信部３０１は、位置情報を受信する場合と同様に、放送時間帯の開始時刻を経過したタイミングで携帯電話端末２から視聴可能時間帯情報を受信してもよい。
【符号の説明】
【００５８】
１…番組記録制御システム、２…携帯電話端末（放送受信端末）、３…番組記録制御用サーバ、４…固定放送受信装置、２０１…情報送信部（情報送信手段）、３０１…情報受信部（情報受信手段）、３０２…番組判定部（番組判定手段）、３０５…番組表格納部（番組表格納手段）、３０７…時間判定部（時間判定手段）、３０８…位置判定部（位置判定手段）、３０９…録画要求部（記録要求手段）、ＮＷ１，ＮＷ２…通信ネットワーク。  
【図１】
2010171539.tif 000003
【図２】
2010171539.tif 000004
【図３】
2010171539.tif 000005
【図４】
2010171539.tif 000006
【図５】
2010171539.tif 000007
【図６】
2010171539.tif 000008
【図７】
2010171539.tif 000009
【図８】
2010171539.tif 000010
【図９】
2010171539.tif 000011